(57)【要約】【課題】桶、柄杓、線香等の墓参り用品を収納可能な収納具を提供することを目的とする。【解決手段】桶、柄杓、線香等の墓参り用品の収納具であって、上下方向にのびる管状ポールと、前記管状ポールに接続され、一対の水平方向にのびるバーを具備する載置台と、前記管状ポールに接続され、前記載置台に載置した桶の落下を防止するための、上下方向に回転可能な保持枠と、を有する収納具本体と、収納容器本体と、該収納容器本体に接続され、前記バーに引っ掛けるための一対の受け具と、を有する収納容器と、を備える、収納具。【選択図】図１
2016211184.tif 000002
【特許請求の範囲】
【請求項１】
桶、柄杓、線香等の墓参り用品の収納具であって、
上下方向にのびる管状ポールと、
前記管状ポールに取り付けられ、水平方向にのびる載置台と、
前記管状ポールに取り付けられ、前記載置台に載置された桶の落下を防止するための、上下方向に回転可能な保持枠と、
を有し、前記桶と前記柄杓を収納する収納具本体と、
前記載置台に取り付けられ、前記線香を収納する収納容器と、
を備えることを特徴とする、収納具。
【請求項２】
前記載置台は、
水平方向にのびる一対のバーを具備し、
前記一対のバーは、間隔をあけて平行にのびており、
前記収納容器は、
収納容器本体と、前記一対のバーに取り付けるための一対の受け具と、を備え、
前記収納容器本体が前記一対のバーの間に配される、
請求項１に記載の収納具。
【請求項３】
前記載置台は、
水平方向にのびる一対のバーを具備し、
前記一対のバーは、間隔をあけて周方向にのびており、
前記収納容器は、
収納容器本体と、前記一対のバーに取り付けるための一対の受け具と、を備え、
前記収納容器本体が前記一対のバーの間に配される、
請求項１に記載の収納具。
【請求項４】
前記一対のバーの端部は、
上方に向けて延在する返しを具備する、
請求項２又は請求項３に記載の収納具。
【請求項５】
前記載置台は、板状台であって、中央に凹部を有し、
前記収納容器が前記凹部に取り付けられる、
請求項１に記載の収納具。
【請求項６】
前記凹部の底面に貫通孔が形成されている、
請求項５に記載の収納具。
【請求項７】
前記収納容器は、
前記載置台に取り付けられた状態において、
前記収納容器の上面が、前記載置台の上面よりも上方に位置する、
請求項１乃至請求項６のいずれか１項に記載の収納具。
【請求項８】
前記収納容器は、
前記収納容器本体の内部が仕切によって複数の区画に区切られており、
前記線香が収納される区画の上方が開口し、該開口を塞ぐ蓋を具備する、
請求項７に記載の収納具。
【請求項９】
前記収納容器は、
前記線香が収納される区画の高さが、それ以外の区画の高さ以上に構成されている、
請求項８に記載の収納具。
【請求項１０】
前記管状ポールは、その断面が柄杓の柄部の断面よりも大きくなっていて、
前記管状ポールの上方に前記柄杓の椀部が露出した態様で、該柄杓を収納可能である、
請求項１乃至請求項９のいずれか１項に記載の収納具。
【請求項１１】
前記管状ポールは、上面が塞がれていて、その上面に前記柄杓の柄部が挿通可能な貫通孔が形成されている、
請求項１０に記載の収納具。
【請求項１２】
前記管状ポールの下端に接続された土台を更に備える、
請求項１乃至請求項１１のいずれか１項に記載の収納具。
【請求項１３】
前記管状ポールの下方が地面に埋設される、
請求項１乃至請求項１１のいずれか１項に記載の収納具。
【発明の詳細な説明】
【技術分野】
【０００１】
本発明は、収納具に関し、特に墓参り用品の収納具に関する。
【背景技術】
【０００２】
従来、墓参りに行く時は、線香、数珠、ライター等の墓参り用品を持参するのが一般的である。また、墓参りに使用する手桶、柄杓、ブラシなどは、寺院や霊園のお墓では借りられる場合もあるが、共同墓地等では用意されていない場合が多い。また、寺院や霊園でも盆の時期など利用者が多い時は、手桶や柄杓などを借りる順番を待たなければならない。そのため、近年では手桶や柄杓なども持参して墓参りする人も多く、その場合、線香、数珠、ライター等に加え、手桶、柄杓、ブラシ等も持参しなければならない。
【０００３】
墓参り用の収納具として、次のものが提案されている（例えば特許文献１、特許文献２参照）。特許文献１の収納具は、地中に埋設される収納具と、該収納具の開口部外周に嵌装される連続する突状片を備えた蓋体とから構成されている。
【０００４】
また、特許文献２の収納具は、手桶を逆さまにして収納する桶用開口収納部と、柄杓を逆さまにして収納する杓用開口収納部と杓用導水部とを備え、下方に線香などの墓参り用具入れを備えている。
【先行技術文献】
【特許文献】
【０００５】
【特許文献１】実用新案登録第３０５２２５７号公報
【特許文献２】実用新案登録第３１４８６２１号公報
【発明の概要】
【発明が解決しようとする課題】
【０００６】
しかしながら、特許文献１の収納具では、手桶や柄杓、ブラシなどを収納することができない。また、地中に埋設するため、雨が降った際に収納具内に浸水するおそれがある。
【０００７】
また、特許文献２の収納具では、一通りの墓参り用具を収納できるが、線香やろうそくの収納部が下方にあり、やはり雨が降った際に浸水するおそれがある。また、手桶の収納時に、手桶に残った水が線香等の収納部に浸水するおそれがある。また、手桶以外の取っ手が回転するバケツなどを収納する場合、不安定である。
【０００８】
本発明は、上記課題に鑑みなされたものであって、手桶や線香などの墓参り用具を収納でき、線香等の濡れを防止する収納具を提供することを目的とする。
【課題を解決するための手段】
【０００９】
本発明の一の態様に係る収納具は、桶、柄杓、線香等の墓参り用品の収納具であって、上下方向にのびる管状ポールと、前記管状ポールに取り付けられ、水平方向にのびる載置台と、前記管状ポールに取り付けられ、前記載置台に載置された桶の落下を防止するための、上下方向に回転可能な保持枠と、を有し、前記桶と前記柄杓を収納する収納具本体と、前記載置台に取り付けられ、前記線香を収納する収納容器と、を備えることを特徴とする。
【００１０】
この構成によれば、桶、柄杓、線香等の墓参り用品を収納できるので、墓参りに桶や線香等を持参しなくてよい。また、線香等の収納容器は、地面より一定の高さに取り付けられ、かつ、収納容器の上方が桶に覆われる形になるので、雨が降った場合も収納容器に浸水しづらい。また、収納容器を取り外し可能に構成すれば、収納容器を取り外して線香等の出し入れがしやすく便利である。また、保持枠により桶を安定して保持することができる。
【００１１】
また、この収納具は、前記載置台が水平方向にのびる一対のバーを具備し、前記一対のバーが間隔をあけて平行にのびており、前記収納容器が収納容器本体と、前記一対のバーに取り付けるための一対の受け具とを備え、前記収納容器本体が前記一対のバーの間に配されている。この構成によれば、一対のバーによって、収納具本体に収納容器を安定して取り付けることができる。
【００１２】
また、この収納具は、前記載置台が水平方向にのびる一対のバーを具備し、前記一対のバーが間隔をあけて周方向にのびており、前記収納容器が収納容器本体と、前記一対のバーに取り付けるための一対の受け具とを備え、前記収納容器本体が前記一対のバーの間に配される構成としてもよい。
【００１３】
好ましくは、この収納具は、前記バーの端部が、上方に向けて延在する返しを具備する。この構成によれば、収納容器が収納具本体から不用意に外れることを防止できる。
【００１４】
また、この収納具は、前記載置台が板状台であって、中央に凹部を有し、前記収納容器が前記凹部に取り付けられる構成としてもよい。また、前記凹部の底面に貫通孔が形成されていることが好ましい。この構成によれば、凹部に収納容器を安定して収納できる。また、凹部の底面の貫通孔により、水の溜まりを防止できる。
【００１５】
好ましくは、この収納具は、前記収納容器が前記載置台に取り付けられた状態において、前記収納容器の上面が前記載置台の上面よりも上方に位置する。この構成によれば、載置台に桶を載置した際に、雨等による収納容器への浸水を抑えることができる。
【００１６】
好ましくは、この収納具は、前記収納容器が前記収納容器本体の内部が仕切によって複数の区画に区切られており、前記線香が収納される区画の上方が開口し、該開口を塞ぐ蓋を具備する。ここで、蓋は収納容器本体にヒンジ等によって接続される構成でもよく、取り外し可能に別体で構成されてもよい。この構成によれば、収納容器内の線香の濡れをより効果的に防止できる。
【００１７】
好ましくは、この収納具は、前記収納容器において、前記線香が収納される区画の高さがそれ以外の区画の高さ以上に構成されている。この構成によれば、線香が収納される区画への浸水が更に抑制できる。また、線香が収納される区画の高さが最も高くなるので、他の区画からの不用意な水の浸入も抑えられる。
【００１８】
好ましくは、この収納具は、前記管状ポールは、その断面が柄杓の柄部の断面よりも大きくなっていて、前記管状ポールの上方に前記椀部が露出した態様で、前記柄杓を収納可能である。この構成によれば、柄杓を安定して保持することができる。
【００１９】
好ましくは、この収納具は、前記管状ポールの上面が塞がれていて、その上面に前記柄杓の柄部が挿通可能な貫通孔が形成されている。この構成によれば、柄杓をより安定した状態で保持できる。
【００２０】
また、この収納具は、前記管状ポールの下端に接続された土台を更に備えてもよい。この構成によれば、収納具を固定する必要がなく、移動が可能である。また、この収納具は、前記管状ポールの下方が地面に埋設される構成としてもよい。
【発明の効果】
【００２１】
本発明の収納具によれば、桶、柄杓、線香等の墓参り用品を収納できる。
【図面の簡単な説明】
【００２２】
【図１】本発明の第１実施形態に係る収納具を示す図である。
【図２】収納具に墓参り用品を収納した状態を示す図である。
【図３】図２から桶を外した状態の図である。
【図４Ａ】収納容器の断面図である。
【図４Ｂ】図４ＡのＸＸ断面図である。
【図４Ｃ】収納容器の蓋の変形例を示す図である。
【図５】バケツを収納した状態を示す図である。
【図６】本発明の第２実施形態に係る収納具に墓参り用品を収納した状態を示す図である。
【図７Ａ】収納容器の断面図である。
【図７Ｂ】図７ＡのＹＹ断面図である。
【図８】本発明の第３実施形態に係る収納具に墓参り用品を収納した状態を示す図である。
【発明を実施するための形態】
【００２３】
以下、本発明に係る一実施形態を図面に基づき説明するが、本発明は下記実施形態に限定されるものではない。
【００２４】
＜第１実施形態＞
［１−１．収納具の構造］
図１は、本実施形態に係る収納具１を示す図である。図１に示すように、本実施形態の収納具１は、収納具本体１０と、これに取り外し可能な収納容器２０とを主要な構成として備える。なお、収納容器２０は、収納具本体１０に固定された構成としてもよい。
【００２５】
収納具本体１０は、上下方向にのびる断面が矩形の管状ポール１１と、桶等の載置台１２と、桶等を保持する保持枠１３とを備え、管状ポール１１は下部が土台１４に固定されている。
【００２６】
載置台１２は、管状ポール１１に固定される板状の取付部材１２ｂと、これに固定され水平方向にのびる一対の板状のバー１２ａとを備えており、管状ポール１１の中央付近に配されている。一対のバー１２ａは、所定の間隔をあけて固定されていて、ここに収納容器２０が取り付けられる。本実施形態においては、一対のバー１２ａは取付部材１２ｂの両端部に固定されている。また、バー１２ａの先端は、上方に向けて屈曲する返しを具備する。桶や収納容器２０等の落下を抑制するためである。
【００２７】
保持枠１３は、管状ポール１１に固定される両端部が屈曲した板状の取付部材１３ｂと、これに上下方向に回転可能に接続される環状のワイヤ１３ａとを備えており、管状ポール１１の上部に配されている。本実施形態においては、ワイヤ１３ａは円環状であり、両端部が取付部材１３ｂの両端の屈曲部に回転可能に取り付けられている。
【００２８】
また、載置台１２を構成する一対のバー１２ａには、収納容器２０が取り付けられる。収納容器２０は、略直方体の形状である。本実施形態の収納容器２０は樹脂製である。収納容器２０は、収納容器本体２１と、蓋２２と、バー１２ａに引っ掛けるための一対の受け具２３とを備える。
【００２９】
収納容器本体２１は、上方が開口していて、内部が複数の区画に仕切られている。これら各区画に、線香やロウソク、ライター等の墓参り用品を収納する。収納容器本体２１の幅は、一対のバー１２ａの間隔よりも狭く、一対のバー１２ａの間に取り付けられる。
【００３０】
収納容器本体２１には開閉可能な蓋２２が接続されていて、蓋２２により一部区画の開口を塞ぐことができる。当該区画には線香を収納することが好ましい。蓋２２により濡れを防ぐためである。なお、本実施形態の蓋２２は、収納容器本体２１の一部区画を塞ぐ構成であるが、収納容器本体２１の全ての開口を塞ぐ構成としてもよい。また、本実施形態の蓋２２は、ヒンジによって収納容器本体２１に接続される構成であるが、蓋２２を収納容器本体２１に取り外し可能に別体で構成としてもよい（図４Ｂ参照）。
【００３１】
収納容器本体２１にはその両側壁にそれぞれ受け具２３が設けられている。本実施形態の受け具２３は、略コの字状に構成されていて、バー１２ａに安定して取り付けられる。なお、受け具２３の形状は一例であり、例えばＬの字状の形状とし、バー１２ａの上から引っ掛けて取り付ける構成としてもよい。また、収納容器本体２１の側壁には、ブラシを収納するための取付具２４が設けられている。
【００３２】
［１−２．墓参り用品の収納］
次に、本実施形態の収納具１を用いた墓参り用品の収納について説明する。図２は、収納具に墓参り用品を収納した状態を示す図である。図３は、図２から桶を外した状態の図である。図４Ａは、収納容器２０の断面図である。
【００３３】
まず、桶１１０や柄杓１２０の収納について説明する。図２に示すように、桶１１０は、バー１２ａに取っ手１１１を通して載置台１２に載せたうえ、保持枠１３を上方に回転して桶１１０の下方に引っ掛けて収納される。これにより、桶１１０が安定して保持される。なお、桶１１０にかえて、回転可能な取っ手を具備する桶やバケツ等であれば、取っ手をバーに通さずに収納することもできる（図５参照）。
【００３４】
また、柄杓１２０は、管状ポール１１の上方から、柄部１２１をさしいれて、管状ポール１１の上方に椀部１２２を出した状態で収納される。なお、柄杓１２０以外に、ブラシをこのように収納してもよい。
【００３５】
続き、線香１３０やライター１４０などの小物の収納について説明する。図３に示すように、これらの墓参り用品は、収納容器２０に収納する。線香１３０は、収納容器本体２１の蓋２２によって覆われる区画に収納する（図４Ａ参照）。雨等によって線香１３０が濡れないようにするためである。その他のライター１４０等は、例えば蓋２２のない区画に収納する。なお、ライター１４０等は蓋２２のある区画に収納してもよい。
【００３６】
また、指を入れる部分をバー１２ａに挿通し引っ掛けてハサミを収納することができる。なお、小さいハサミであれば、収納容器２０に収納してもよい。また、バー１２ａの間にブラシの頭部を引っ掛けて、バー１２ａの間の下方にブラシの柄部が出た状態で収納してもよい。
【００３７】
これら小物の墓参り用品を収納容器２０に収納した後、桶１１０を載置台１２に置くことで、収納容器２０が桶１１０によって覆われて、雨等による濡れを防止することができる。
【００３８】
＜第２実施形態＞
次に、第２実施形態の収納具３について説明する。第２実施形態の収納具３と、第１実施形態の収納具１との主な相違点は、載置台を構成する一対のバーと、収納容器である。以下、一対のバーの構成と収納容器の構成を主として説明する。第１実施形態の収納具１と同様の構成については適宜説明を省略し、同様の構成については同じ符号を用いる。
【００３９】
図６は、本実施形態に係る収納具に墓参り用品を収納した状態を示す図である。なお、収納した桶を透過した図であり、桶を点線で示している。図７Ａは、収納容器の側断面図である。図７ＢはＹＹ断面図である。図６に示すように、本実施形態の収納具３は、収納具本体３０と、これに取り外し可能な収納容器４０とを主要な構成として備える。なお、収納容器４０は、収納具本体３０に固定された構成としてもよい。
【００４０】
収納具本体３０の載置台３２は、管状ポール１１に固定される板状の取付部材３２ｂと、これに固定されて周方向にのびる一対の板状のバー３２ａとを備えている。一対のバー３２ａは、所定の間隔をあけて固定されていて、ここに収納容器４０が取り付けられる。
【００４１】
図７Ａ、図７Ｂに示すように、  収納容器４０は、略円筒形状である。本実施形態の収納容器４０は樹脂製である。収納容器４０は、収納容器本体４１と、蓋４２と、バー３２ａに引っ掛けるための一対の受け具４３とを備える。
【００４２】
収納容器本体４１は、上方が開口していて、内部が複数の区画に仕切られている。これら各区画に、線香やロウソク、ライター等の墓参り用品を収納する。線香を収納する区画４１ａは、その他の区画４１ｂ、４１ｃよりも高くなっている。また、区画４１ａには上下方向を仕切る仕切板４１ａａが配されていて、仕切板４１ａａの中央に貫通孔４１ａｂが形成されている。
【００４３】
この貫通孔４１ａｂに線香を収納する。区画４１ａの高さと、仕切４１ａａ及び貫通孔４１ａｂにより、線香の不用意な折れを防止する。すなわち、高さや仕切４１ａａ及び貫通孔４１ａｂがない場合、線香を収納した際に斜めに傾いて線香の一部が外側に出ることがあり、そうすると蓋４２等に挟まって線香が折れる場合があるためである。
【００４４】
また、区画４１ａには開閉可能な蓋４２が接続されていて、蓋４２により区画４１ａの開口を塞ぐことができる。なお、本実施形態の蓋４２は、収納容器本体４１に取り外し可能に別体で構成されている。
【００４５】
収納容器本体４１にはその両側壁にそれぞれ受け具４３が設けられている。本実施形態の受け具４３は、バー３２ａの形状に沿った形状であって、断面が略Ｌ字の形状であり、バー３２ａの上から引っ掛けて取り付けられる。なお、収納容器本体４１をバー３２ａに取り付けた状態において、収納容器本体４１の上面がバー３２ａの上面よりも高くなるよう構成されている。収納容器本体４１への浸水を抑えるためである。
【００４６】
＜第３実施形態＞
次に、第３実施形態の収納具５について説明する。第３実施形態の収納具５と、第１実施形態の収納具１との主な相違点は、載置台と収納容器である。以下、載置台の構成と収納容器の構成を主として説明する。第１実施形態の収納具１と同様の構成については適宜説明を省略し、同様の構成については同じ符号を用いる。
【００４７】
図８は、本実施形態に係る収納具に墓参り用品を収納した状態を示す図である。なお、収納した桶を透過した図であり、桶を点線で示している。図８に示すように、本実施形態の収納具５は、収納具本体５０と、これに取り外し可能な収納容器６０とを主要な構成として備える。なお、収納容器６０は、収納具本体５０に固定された構成としてもよい。
【００４８】
収納具本体５０の載置台５２は、管状ポール１１に固定された水平方向にのびる円板状に構成されている。載置台５２の中央には、凹部５２ａが設けられていて、凹部５２ａの底面は格子状に形成されている。これにより、凹部５２ａに水が溜まらないようになっている。
【００４９】
収納容器６０は、略円筒形状であって、収納容器本体６１と蓋６２とを備える。この収納容器６０には、第１、第２実施形態の収納容器２０、４０と異なり、受け具を有さない。
【００５０】
＜本実施形態の効果＞
以上説明したように、本実施形態の収納具によれば、桶や柄杓、線香、ライター等の墓参り用品を収納することができ、これら墓参り用品を持参せずに墓参りができる。また、収納容器を桶が覆うように収納されるので、収納容器に収納された線香等の濡れを防止できる。
【００５１】
＜他の実施形態＞
以上のとおり、図面を参照しながら本発明の好適な実施形態を説明したが、本発明の趣旨を逸脱しない範囲内で、種々の追加、変更又は削除が可能である。例えば、本実施形態では、管状ポール１１の下部が土台１４に固定されているが、土台１４にかえて管状ポール１１の下部を地面に埋設してもよい。したがって、そのようなものも本発明の範囲内に含まれる。
【符号の説明】
【００５２】
１  収納具
１０  収納具本体
１１  管状ポール
１２  載置台
１２ａ  バー
１２ｂ  取付部材
１３  保持枠
１３ａ  ワイヤ
１３ｂ  取付部材
１４  土台
２０  収納容器
２１  収納容器本体
２２  蓋
２３  受け具
２４  取付具
３  収納具
３０  収納具本体
３２  載置台
３２ａ  バー
３２ｂ  取付部材
４０  収納容器
４１  収納容器本体
４１ａ、４１ｂ、４１ｃ  区画
４１ａａ  仕切板
４１ａｂ  貫通孔
４２  蓋
５  収納具
５０  収納具本体
５２  載置台
５２ａ  凹部
６０  収納容器
６１  収納容器本体
６２  蓋
１１０  桶
１１１  取っ手
１２０  柄杓
１２１  柄部
１２２  椀部
１３０  線香
１４０  ライター
【図１】
2016211184.tif 000003
【図２】
2016211184.tif 000004
【図３】
2016211184.tif 000005
【図４Ａ】
2016211184.tif 000006
【図４Ｂ】
2016211184.tif 000007
【図４Ｃ】
2016211184.tif 000008
【図５】
2016211184.tif 000009
【図６】
2016211184.tif 000010
【図７Ａ】
2016211184.tif 000011
【図７Ｂ】
2016211184.tif 000012
【図８】
2016211184.tif 000013